【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
目的物品情報を推薦するための方法であって、
第１のユーザによって選択された複数の候補物品に関する情報を含む目的物品情報推薦要求を受信し、
前記複数の候補物品に関する選択履歴情報を決定し、前記選択履歴情報は、各候補物品が選択されて過去の目的物品情報推薦要求がサーバに送信された過去の回数に対応する履歴カウント数、および、各候補物品が過去の目的物品情報推薦要求から第２のユーザによって目的物品として選択された回数に対応する選択カウント数を含み、
前記候補物品の選択履歴情報の一部または全部をクライアントに送信することであって、
前記複数の候補物品の前記選択カウント数および前記履歴カウント数に基づいて前記複数の候補物品についての支持率を計算し、
前記複数の候補物品の前記支持率をランク付け、
ランク付けられた前記支持率に基づいて１つ以上の候補物品を選択し、
選択された前記１つ以上の候補物品を前記クライアントに送信することを含む、前記候補物品の選択履歴情報の一部または全部をクライアントに送信すること、
を備える、方法。
【請求項２】
請求項１に記載の方法であって、前記選択履歴情報は、前記候補物品に関する前記第２のユーザによる評価情報を含む、方法。
【請求項３】
請求項１に記載の方法であって、
前記目的物品情報推薦要求は、推奨時間範囲パラメータを含み、
前記複数の候補物品に関する前記選択履歴情報を決定することは、
前記推奨時間範囲パラメータに対応する時間範囲を決定し、
前記時間範囲内の前記複数の候補物品に関する前記選択履歴情報を決定すること、
を備える、方法。
【請求項４】
請求項１に記載の方法であって、前記目的物品情報推薦要求は、第１のユーザ情報を含み、
前記方法は、さらに、
前記複数の候補物品に関する前記選択履歴情報を決定する前に、
前記第１のユーザ情報に基づいて、ユーザデータベース内で前記第１のユーザのランクをルックアップし、
前記第１のユーザの前記ランクが、設定されたランク制限条件を満たすか否かを評価し、
前記第１のユーザの前記ランクが、設定された前記ランク制限条件を満たす場合に、前記第１のユーザの前記複数の候補物品に関する前記選択履歴情報の決定を実行すること、
を備える、方法。
【請求項５】
請求項１に記載の方法であって、前記目的物品情報推薦要求は、前記複数の候補物品に関する属性情報を含み、
前記方法は、さらに、
前記複数の候補物品に関する前記選択履歴情報を決定する前に、前記複数の候補物品の属性が、１セットの事前設定された属性基準に属するか否かを判定することを備え、
前記複数の候補物品に関する前記選択履歴情報を決定することは、前記複数の候補物品の内、前記１セットの事前設定された属性基準に属する前記候補物品に関する前記選択履歴情報を決定することを含む、方法。
【請求項６】
請求項１に記載の方法は、さらに、
前記複数の候補物品に関する前記選択履歴情報を決定する前に、
候補物品の情報に基づいて、前記複数の候補物品の属性情報を決定し、
前記複数の候補物品に関する前記属性情報に基づいて、前記複数の候補物品の中で同じ属性を有する候補物品をグループ化し、
前記複数の候補物品に関する前記選択履歴情報を決定した後に、各グループの候補物品に関する前記支持率をグループ分けに従って送り返すこと、
を備える、方法。
【請求項７】
請求項６に記載の方法は、さらに、
前記複数の候補物品の中で同じ属性を有する候補物品をグループ化した後に、
各グループ内の前記複数の候補物品の類似度を決定し、
各グループ内の前記複数の候補物品の前記類似度に基づいて、各グループ内の前記複数の候補物品を下位グループに分割し、
前記複数の候補物品に関する前記選択履歴情報を決定した後に、前記下位グループの内の各グループの候補物品に関する前記支持率をクライアントに送り返すこと、
を備える、方法。
【請求項８】
請求項６に記載の方法であって、前記複数の候補物品の少なくとも１つに関する前記支持率をクライアントに送信すること、
候補物品が所定の閾値よりも高い支持率を有するか否かを判定し、
前記所定の閾値よりも高い支持率を有する前記候補物品の内の１または複数に関する前記支持率をクライアントに送信すること、
を含む、方法。
【請求項９】
請求項１に記載の方法であって、
前記目的物品情報推薦要求は、前記複数の候補物品のリンクアドレスを含み、
前記方法は、さらに、
前記複数の候補物品に関する前記選択履歴情報を決定する前に、候補物品のリンクアドレスが有効であるか否かを判定することを備え、
前記複数の候補物品に関する前記選択履歴情報を決定することは、有効なリンクアドレスを持つ候補物品に関する前記選択履歴情報を決定することを備える、方法。
【請求項１０】
請求項１に記載の方法であって、前記目的物品情報推薦要求は、前記複数の候補物品に関する情報を含み、
前記方法は、さらに、
前記複数の候補物品に関する前記選択履歴情報を決定する前に、
前記候補物品の情報に基づいて、前記候補物品の物品供給に関する情報を決定し、
前記候補物品の情報に基づいて、前記複数の候補物品の内の任意の候補物品の前記物品供給が、事前設定された基準を満たすか否かを判定すること、
を備え、
前記複数の候補物品に関する前記選択履歴情報を決定することは、物品供給が設定された基準を満たす候補物品に関する前記選択履歴情報を決定することを備える、方法。
【請求項１１】
請求項６に記載の方法は、さらに、
前記複数の候補物品の少なくとも１つに関する前記支持率をクライアントに送信した後に、
前記複数の候補物品に関する前記選択履歴情報に従って、前記複数の候補物品の中から前記第１のユーザによって選択された前記目的物品を記録し、
前記第１のユーザによってこの時になされた選択を前記目的物品に関する選択履歴情報の１つと見なすこと、
を備える、方法。
【請求項１２】
請求項１に記載の方法は、さらに、
前記第１のユーザによって選択された前記複数の候補物品に関する前記情報を含む目的物品情報推薦要求を受信した後に、
前記サーバの第３のユーザを決定し、
前記第１のユーザの候補物品に関する目的物品情報推薦を行うことを前記第３のユーザに依頼するために、参加要求を前記第３のユーザに発行し、
前記第１のユーザの前記候補物品に関する前記第３のユーザの推薦情報を記録し、
前記候補物品に関する前記第３のユーザの前記推薦情報を前記候補物品に関する選択履歴情報の１つと見なすこと、
を備える、方法。
【請求項１３】
請求項１に記載の方法は、さらに、
前記第１のユーザの前記候補物品に関する目的物品情報推薦を行うことを第４のユーザに依頼するために、依頼情報を前記第４のユーザに送信し、
前記第１のユーザの前記候補物品に関する前記第４のユーザの推薦情報を記録し、
前記候補物品に関する前記第４のユーザの前記推薦情報を前記候補物品の支持情報と見なすこと、
を備える、方法。
【請求項１４】
請求項１３に記載の方法であって、前記第４のユーザは、前記候補物品に関係のあるユーザであり、前記複数の候補物品の少なくとも１つを前記目的物品として選択したユーザである、方法。
【請求項１５】
目的物品情報を推薦するための方法であって、
第１のユーザによって選択された複数の候補物品に関する情報を受信し、
選択された情報に基づいて、前記第１のユーザによって選択された前記複数の候補物品に関する情報を含む目的物品情報推薦要求を生成し、
前記目的物品情報推薦要求に基づいて前記複数の候補物品に関する選択履歴情報を決定するよう構成されたサーバに前記目的物品情報推薦要求を送信し、前記選択履歴情報は、前記複数の候補物品が選択されて目的物品情報推薦要求がサーバに送信された過去の回数に対応する履歴カウント数、および、前記複数の候補物品が過去の目的物品情報推薦要求から第２のユーザによって目的物品として選択された回数に対応する選択カウント数を含み、
前記サーバによって送信された前記候補物品の選択履歴情報の少なくともいくつかを受信することであって、
前記候補物品の少なくともいくつかの前記選択カウント数および前記履歴カウント数に基づいて前記候補物品の少なくともいくつかについての支持率を計算し、
前記候補物品の少なくともいくつかの前記支持率をランク付け、
ランク付けられた前記支持率に基づいて１つ以上の候補物品を選択すること、を含む前記サーバによって送信された前記候補物品の選択履歴情報の少なくともいくつかを受信すること、
を備える、方法。
【請求項１６】
請求項１５に記載の方法であって、
前記第１のユーザによって選択された前記複数の候補物品に関する前記情報を受信することは、
ブックマークフォルダまたは閲覧履歴記録を通して前記第１のユーザによって選択された候補物品を受信することを含み、前記受信された情報は、前記候補物品の情報を含み、
前記目的物品情報推薦要求は、前記第１のユーザによって選択された前記複数の候補物品に関する情報を含む、方法。
【請求項１７】
請求項１５に記載の方法であって、
前記複数の候補物品に関して前記第１のユーザによって選択された情報を受信することは、リンクアドレスを通して前記第１のユーザによって選択された候補物品を受信することを含み、前記受信された情報は、前記候補物品に関する前記リンクアドレスを含み、
前記目的物品情報推薦要求は、前記第１のユーザによって選択された前記複数の候補物品の前記リンクアドレスを含む、方法。
【請求項１８】
請求項１５に記載の方法であって、前記支持率は、前記過去の回数および前記選択回数を参照して前記候補物品から得られた少なくとも１つの候補物品の支持情報である、方法。
【請求項１９】
目的物品情報を推薦するためのサーバであって、
少なくとも１つのプロセッサであって、
第１のユーザによって選択された複数の候補物品に関する情報を含む目的物品情報推薦要求を受信し、
前記複数の候補物品に関する選択履歴情報を決定し、前記選択履歴情報は、各候補物品が選択されて過去の目的物品情報推薦要求がサーバに送信された過去の回数に対応する履歴カウント数、および、各候補物品が過去の目的物品情報推薦要求から第２のユーザによって目的物品として選択された回数に対応する選択カウント数を含み、
前記候補物品の選択履歴情報の一部または全部をクライアントに送信することであって、
前記複数の候補物品の前記選択カウント数および前記履歴カウント数に基づいて前記複数の候補物品についての支持率を計算し、
前記複数の候補物品の前記支持率をランク付け、
ランク付けられた前記支持率に基づいて１つ以上の候補物品を選択し、
選択された前記１つ以上の候補物品を前記クライアントに送信することを含む、前記候補物品の選択履歴情報の一部または全部をクライアントに送信するように構成されている、少なくとも１つのプロセッサと、
前記少なくとも１つのプロセッサに接続され、前記少なくとも１つのプロセッサに命令を提供するように構成されているメモリと、
を備える、サーバ。
【請求項２０】
目的物品情報を推薦するためのクライアントであって、
少なくとも１つのプロセッサであって、
第１のユーザによって選択された複数の候補物品に関する情報を受信し、
選択された情報に基づいて、前記第１のユーザによって選択された前記複数の候補物品に関する情報を含む目的物品情報推薦要求を生成し、
サーバが前記目的物品情報推薦要求に基づいて前記複数の候補物品に関する選択履歴情報を決定するように、前記目的物品情報推薦要求を前記サーバに送信し、前記選択履歴情報は、前記複数の候補物品が選択されて過去の目的物品情報推薦要求がサーバに送信された過去の回数に対応する履歴カウント数、および、前記複数の候補物品が過去の目的物品情報推薦要求から第２のユーザによって目的物品として選択された回数に対応する選択カウント数を含み、
前記サーバによって送信された前記候補物品の選択履歴情報の少なくともいくつかを受信することであって、
前記候補物品の少なくともいくつかの前記選択カウント数および前記履歴カウント数に基づいて前記候補物品の少なくともいくつかについての支持率を計算し、
前記候補物品の少なくともいくつかの前記支持率をランク付け、
ランク付けられた前記支持率に基づいて１つ以上の候補物品を選択すること、を含む前記サーバによって送信された前記候補物品の選択履歴情報の少なくともいくつかを受信すること、することであって、
前記候補物品の少なくとも一部の前記選択カウント数および前記履歴カウント数に基づいて前記候補物品の少なくとも一部についての支持率を計算し、
前記候補物品の少なくとも一部の前記支持率をランク付け、
ランク付けられた前記支持率に基づいて１つ以上の候補物品を選択すること、を含む前記サーバによって送信された前記候補物品の選択履歴情報の少なくともいくつかを受信するように構成されている、少なくとも１つのプロセッサと、
前記少なくとも１つのプロセッサに接続され、前記少なくとも１つのプロセッサに命令を提供するように構成されているメモリと、
を備える、クライアント。
【請求項２１】
目的物品情報を推薦するためのコンピュータプログラムであって、
第１のユーザによって選択された複数の候補物品に関する情報を含む目的物品情報推薦要求を受信するための機能と、
前記複数の候補物品に関する選択履歴情報を決定するための機能と、前記選択履歴情報は、各候補物品が選択されて過去の目的物品情報推薦要求がサーバに送信された過去の回数に対応する履歴カウント数、および、各候補物品が過去の目的物品情報推薦要求から第２のユーザによって目的物品として選択された回数に対応する選択カウント数を含み、
前記候補物品の履歴選択情報の一部または全部をクライアントに送信するための機能であって、
前記複数の候補物品の前記選択カウント数および前記履歴カウント数に基づいて前記複数の候補物品についての支持率を計算し、
前記複数の候補物品の前記支持率をランク付け、
ランク付けられた前記支持率に基づいて１つ以上の候補物品を選択し、
選択された前記１つ以上の候補物品を前記クライアントに送信することを含む、前記候補物品の選択履歴情報の一部または全部をクライアントに送信することを含む、前記候補物品の履歴選択情報の一部または全部をクライアントに送信するための機能をコンピュータによって実現させる、コンピュータプログラム。
【請求項２２】
目的物品情報を推薦するためのコンピュータプログラムであって、
第１のユーザによって選択された複数の候補物品に関する情報を受信するための機能と、
選択された情報に基づいて、前記第１のユーザによって選択された前記複数の候補物品に関する情報を含む目的物品情報推薦要求を生成するための機能と、
サーバが前記目的物品推薦要求に基づいて前記複数の候補物品に関する選択履歴情報を決定するように、前記目的物品情報推薦要求を前記サーバに送信するための機能と、前記選択履歴情報は、前記複数の候補物品が選択されて過去の目的物品情報推薦要求がサーバに送信された過去の回数に対応する履歴カウント数、および、前記複数の候補物品が過去の目的物品情報推薦要求から第２のユーザによって目的物品として選択された回数に対応する選択カウント数を含み、
前記サーバによって送信された前記候補物品の選択履歴情報の少なくともいくつかを受信するための機能であって、
前記候補物品の少なくともいくつかの前記選択カウント数および前記履歴カウント数に基づいて前記候補物品の少なくともいくつかについての支持率を計算し、
前記候補物品の少なくともいくつかの前記支持率をランク付け、
ランク付けられた前記支持率に基づいて１つ以上の候補物品を選択すること、を含む前記サーバによって送信された前記候補物品の選択履歴情報の少なくともいくつかを受信するための機能、をコンピュータによって実現させるコンピュータプログラム。
【請求項２３】
請求項１に記載の方法において、前記ランク付けられた支持率に基づく前記１つ以上の候補物品の選択は、上位Ｎ番目（Ｎは自然数）までの高支持率を有する前記１つ以上の候補物品に基づいてＮ個の候補物品を選択することを含む、方法。